(57)【要約】【課題】より正確に夜景シーンであるか否かを判定することが可能な撮像装置を提供する。【解決手段】デジタルカメラ１Ａは、画像データに基づいて撮影シーンが夜景シーンであるか否かを判定する判定手段を備える。判定手段は、フレーミング領域ＦＲの中央部分である第１の部分（ＡＦエリアＡＲ等）に高輝度部が存在し且つフレーミング領域のうち第２の部分（斜線部分ＭＲ等）に低輝度部が存在する場合に、撮影シーンが夜景シーンであると判定する。【選択図】図６
2006023339.tif 000002
【特許請求の範囲】
【請求項１】
撮像装置であって、
撮影光学系による光像を画像データへ変換する撮像手段と、
前記画像データに基づいて撮影シーンが夜景シーンであるか否かを判定する判定手段と、
を備え、
前記判定手段は、フレーミング領域の中央部分である第１の部分に高輝度部が存在し且つ前記フレーミング領域のうち前記第１の部分以外の第２の部分に低輝度部が存在する場合に、撮影シーンが夜景シーンであると判定することを特徴とする撮像装置。
【請求項２】
請求項１に記載の撮像装置において、
前記第２の部分は、前記フレーミング領域の周縁部分であることを特徴とする撮像装置。
【請求項３】
請求項１に記載の撮像装置において、
前記第２の部分は、前記フレーミング領域の上端側周縁部分であることを特徴とする撮像装置。
【請求項４】
請求項１に記載の撮像装置において、
前記第２の部分は、前記フレーミング領域の左端側周縁部分、右端側周縁部分、および上端側周縁部分とで構成されていることを特徴とする撮像装置。
【請求項５】
請求項１から請求項４のいずれかに記載の撮像装置において、
前記判定手段は、高輝度画素が前記第１の部分において所定数以上存在するとき又は高輝度画素が前記第１の部分において所定割合以上存在するときに、前記第１の部分に高輝度部が存在すると判定することを特徴とする撮像装置。
【請求項６】
請求項５に記載の撮像装置において、
前記判定手段は、高輝度画素が前記第１の部分において所定数以上存在するか否か又は高輝度画素が前記第１の部分において所定割合以上存在するか否かを、間引き画像データではないＡＦ用画像データを用いて判定するとともに、前記第２の部分に低輝度部が存在するか否かを、間引き画像データであるＡＥ用画像データを用いて判定することを特徴とする撮像装置。
【請求項７】
請求項１から請求項６のいずれかに記載の撮像装置において、
前記判定手段は、前記第２の部分に位置する複数の区分領域のうち、その平均輝度が所定値以下の低輝度区分領域が所定割合以上存在するとき又は前記低輝度区分領域が所定数以上存在するときに、前記第２の部分に低輝度部が存在すると判定することを特徴とする撮像装置。
【請求項８】
請求項１から請求項７のいずれかに記載の撮像装置において、
撮影シーンが夜景シーンでないと判定されるときには第１の手法でＡＦ動作を行い、撮影シーンが夜景シーンであると判定されるときには前記第１の手法とは異なる第２の手法でＡＦ動作を行うＡＦ制御手段、
をさらに備えることを特徴とする撮像装置。
【請求項９】
請求項８に記載の撮像装置において、
前記第２の手法は、フォーカスレンズを一旦無限遠端に移動させた後に、前記フォーカスレンズを近側に向けて移動させつつ各レンズ位置におけるＡＦ評価値を取得し、当該ＡＦ評価値が最適化されるレンズ位置を合焦位置として検出する手法であることを特徴とする撮像装置。
【請求項１０】
請求項８または請求項９に記載の撮像装置において、
前記第２の手法によるＡＦ動作でのＡＦ評価値は、前記第１の部分における高輝度画素と当該高輝度画素に隣接する非高輝度画素との画素値の差分値の積算値を、前記第１の部分における高輝度画素に隣接する非高輝度画素の存在数で除することによって正規化された値に基づいて算出されることを特徴とする撮像装置。
【請求項１１】
請求項１０に記載の撮像装置において、
前記ＡＦ評価値は、前記正規化された値を、前記第１の部分における高輝度画素の個数でさらに除した値に基づいて算出されることを特徴とする撮像装置。
【請求項１２】
請求項１から請求項１１のいずれかに記載の撮像装置において、
撮影シーンが夜景シーンであると判定される場合は当該撮像装置の撮影条件を夜景シーン用の条件に設定する撮影条件設定手段、
をさらに備えることを特徴とする撮像装置。
【発明の詳細な説明】
【技術分野】
【０００１】
本発明は、撮像装置において撮影画像のシーンを判別する技術に関し、特に夜景シーンであるか否かを判別する技術に関する。
【背景技術】
【０００２】
デジタルカメラなどの撮像装置においては、撮影画像のシーンを判別し、そのシーンに応じた適切な撮影条件等を定めることがある。
【０００３】
例えば、特許文献１においては、被写界の平均輝度が小さく且つ被写界に占める高輝度領域の割合が大きいときに、その撮影シーンを夜景シーンとして判定し、カメラの撮影モードを夜景モードに設定する技術が記載されている。
【０００４】
【特許文献１】特開２００３−３１５８６６号公報
【発明の開示】
【発明が解決しようとする課題】
【０００５】
しかしながら、上記の技術においては、多数の点光源が存在する場合には、測定対象領域の平均輝度が大きくなってしまうことがあり、これに起因して、夜景であるにもかかわらず夜景ではないとして、誤って判定されることがある。
【０００６】
そこで、この発明の課題は、より正確に夜景シーンであるか否かを判定することが可能な撮像装置を提供することにある。
【課題を解決するための手段】
【０００７】
上記の課題を解決するため、請求項１の発明は、撮像装置であって、撮影光学系による光像を画像データへ変換する撮像手段と、前記画像データに基づいて撮影シーンが夜景シーンであるか否かを判定する判定手段とを備え、前記判定手段は、フレーミング領域の中央部分である第１の部分に高輝度部が存在し且つ前記フレーミング領域のうち前記第１の部分以外の第２の部分に低輝度部が存在する場合に、撮影シーンが夜景シーンであると判定することを特徴とする。
【０００８】
請求項２の発明は、請求項１の発明に係る撮像装置において、前記第２の部分は、前記フレーミング領域の周縁部分であることを特徴とする。
【０００９】
請求項３の発明は、請求項１の発明に係る撮像装置において、前記第２の部分は、前記フレーミング領域の上端側周縁部分であることを特徴とする。
【００１０】
請求項４の発明は、請求項１の発明に係る撮像装置において、前記第２の部分は、前記フレーミング領域の左端側周縁部分、右端側周縁部分、および上端側周縁部分とで構成されていることを特徴とする。
【００１１】
請求項５の発明は、請求項１から請求項４のいずれかの発明に係る撮像装置において、前記判定手段は、高輝度画素が前記第１の部分において所定数以上存在するとき又は高輝度画素が前記第１の部分において所定割合以上存在するときに、前記第１の部分に高輝度部が存在すると判定することを特徴とする。
【００１２】
請求項６の発明は、請求項５の発明に係る撮像装置において、前記判定手段は、高輝度画素が前記第１の部分において所定数以上存在するか否か又は高輝度画素が前記第１の部分において所定割合以上存在するか否かを、間引き画像データではないＡＦ用画像データを用いて判定するとともに、前記第２の部分に低輝度部が存在するか否かを、間引き画像データであるＡＥ用画像データを用いて判定することを特徴とする。
【００１３】
請求項７の発明は、請求項１から請求項６のいずれかの発明に係る撮像装置において、前記判定手段は、前記第２の部分に位置する複数の区分領域のうち、その平均輝度が所定値以下の低輝度区分領域が所定割合以上存在するとき又は前記低輝度区分領域が所定数以上存在するときに、前記第２の部分に低輝度部が存在すると判定することを特徴とする。
【００１４】
請求項８の発明は、請求項１から請求項７のいずれかの発明に係る撮像装置において、撮影シーンが夜景シーンでないと判定されるときには第１の手法でＡＦ動作を行い、撮影シーンが夜景シーンであると判定されるときには前記第１の手法とは異なる第２の手法でＡＦ動作を行うＡＦ制御手段、をさらに備えることを特徴とする。
【００１５】
請求項９の発明は、請求項８の発明に係る撮像装置において、前記第２の手法は、フォーカスレンズを一旦無限遠端に移動させた後に、前記フォーカスレンズを近側に向けて移動させつつ各レンズ位置におけるＡＦ評価値を取得し、当該ＡＦ評価値が最適化されるレンズ位置を合焦位置として検出する手法であることを特徴とする。
【００１６】
請求項１０の発明は、請求項８または請求項９の発明に係る撮像装置において、前記第２の手法によるＡＦ動作でのＡＦ評価値は、前記第１の部分における高輝度画素と当該高輝度画素に隣接する非高輝度画素との画素値の差分値の積算値を、前記第１の部分における高輝度画素に隣接する非高輝度画素の存在数で除することによって正規化された値に基づいて算出されることを特徴とする。
【００１７】
請求項１１の発明は、請求項１０の発明に係る撮像装置において、前記ＡＦ評価値は、前記正規化された値を、前記第１の部分における高輝度画素の個数でさらに除した値に基づいて算出されることを特徴とする。
【００１８】
請求項１２の発明は、請求項１から請求項１１のいずれかの発明に係る撮像装置において、撮影シーンが夜景シーンであると判定される場合は当該撮像装置の撮影条件を夜景シーン用の条件に設定する撮影条件設定手段、をさらに備えることを特徴とする。
【発明の効果】
【００１９】
請求項１から請求項１２に記載の発明によれば、フレーミング領域の中央部分である第１の部分に高輝度部が存在し且つ前記フレーミング領域のうち第１の部分以外の第２の部分に低輝度部が存在する場合に、撮影シーンが夜景シーンであると判定されるので、より正確な夜景判定が可能である。
【００２０】
特に、請求項３に記載の発明によれば、夜空の部分に対応する上端側周縁部分において低輝度部の存在の有無を判定しているので、さらに正確に夜景判定を行うことができる。
【００２１】
また、請求項５に記載の発明によれば、第１の部分における高輝度画素の存在数又は存在割合に基づいて高輝度部の存在の有無を判定しているので、第１の部分の平均輝度を用いて高輝度部の存在の有無を判定する場合に比べて、より正確な夜景判定が可能である。
【００２２】
さらに、請求項６に記載の発明によれば、間引き画像ではないＡＦ用画像データに基づいて高輝度画素の存在数等を判定しているので、より正確に高輝度画素の存在数を認識することができる。また、間引き画像であるＡＥ用画像データに基づいて、低輝度ブロックであるか否かを判定しているので、平均輝度算出にあたって演算対象となる画素の数を低減して効率的に夜景判定を行うことができる。
【００２３】
また、請求項８に記載の発明によれば、夜景撮影時のＡＦ動作を最適化することが可能である。
【００２４】
さらに、請求項１０に記載の発明によれば、ＡＦ動作の高精度化を図ることができる。
【００２５】
また、請求項１２に記載の発明によれば、夜景撮影時の撮影条件を最適化することが可能である。
【発明を実施するための最良の形態】
【００２６】
以下、本発明の実施形態を図面に基づいて説明する。
【００２７】
＜ハードウエア構成＞
デジタルカメラ１Ａのハードウエア構成を図１〜図３を参照しながら説明する。図１は、デジタルカメラ１Ａを正面から見た正面図である。図２は、図１のＤ−Ｄの位置におけるデジタルカメラ１Ａの断面図である。また、図３は、デジタルカメラ１Ａを背面から見た背面図である。
【００２８】
デジタルカメラ１Ａの正面には、撮影レンズ１１０が設けられる。撮影レンズ１１０は、撮影用の光像（被写体の光像）を取得し、撮像素子であるＣＣＤ１２０（Charge Coupled Device）の受光面に結像させる。
【００２９】
また、撮影レンズ１１０のレンズ鏡胴１１１の内部には、焦点距離を変化させて撮影用の光像の画角を変化させるためのズームレンズ１１２と、撮影用の光像の合焦状態を変化させるためのフォーカスレンズ１１３とが設けられている。ズームレンズ１１２およびフォーカスレンズ１１３は、それぞれ、実際には１つ又は複数のレンズ要素等で構成されるが、ここでは模式的に示している。
【００３０】
ズームレンズ１１２およびフォーカスレンズ１１３は、図示しないエンコーダに接続されている。これにより、デジタルカメラ１Ａは、ズームレンズ１１２およびフォーカスレンズ１１３の光軸ＯＡ方向の位置（代表位置）を検出可能である。また、ズームレンズ１１２およびフォーカスレンズ１１３は、それぞれ、ズームモータＭ１（図４）およびフォーカスモータＭ３（図４）に接続されている。これにより、デジタルカメラ１Ａは、ズームレンズ１１２およびフォーカスレンズ１１３を光軸ＯＡ方向に駆動可能である。すなわち、デジタルカメラ１Ａは、光学系の駆動による光学ズームおよびフォーカス制御が可能に構成されている。また、撮影レンズ１１０は、ＣＣＤ１２０へ入射する光量を変化させるための絞り１１４を備える。絞り１１４は、ズームレンズ１１２とフォーカスレンズ１１３との中間に設けられる。絞り１１４は、絞りモータＭ２（図４）に接続されている。これにより、デジタルカメラ１Ａは、露出制御のために絞り径を変化させることができる。
【００３１】
デジタルカメラ１Ａの上面には、デジタルカメラ１Ａに撮影開始指示を与えるためのシャッタスタートボタン１５０（以下、シャッタボタンと略す）と、デジタルカメラ１Ａの動作モードを設定するためのモード設定ダイアル１６０と、フラッシュ撮影時に発光するポップアップフラッシュ１７０とが設けられている。
【００３２】
シャッタボタン１５０は、半押し状態Ｓ１と全押し状態Ｓ２とを判別可能な押しボタンスイッチである。デジタルカメラ１Ａは、シャッタボタン１５０が半押し状態Ｓ１となったことを検出すると、ＡＦ（オートフォーカス）制御などの撮影準備動作を開始する。また、デジタルカメラ１Ａは、シャッタボタン１５０が全押し状態Ｓ２となったことを検出すると、本撮影動作を開始する。
【００３３】
モード設定ダイアル１６０は、被写体の静止画撮影を行う「静止画撮影モード」と、被写体の動画撮影を行う「動画撮影モード」と、記憶画像の再生表示を行う「再生モード」との間で、デジタルカメラ１Ａの動作モードを切り替えるロータリースイッチである。
【００３４】
デジタルカメラ１Ａの背面には、撮影画像のライブビュー表示や記録画像の再生表示を行なう液晶ディスプレイ（ＬＣＤ；Liquid Crystal Display）１８０が設けられる。また、ＬＣＤ１８０の背面上方には、撮影画像のライブビューを表示するための電子ビューファインダ（ＥＶＦ；Electronic View Finder）１９０が設けられる。また、背面には撮影時のズームや画像再生時のフレーム送り等を行うための十字スイッチ２０５が設けられている。この十字スイッチ２０５は上下左右４個の押し釦ＵＰ，ＤＮ，ＬＦ，ＲＴを備えており、上の釦ＵＰの押下により望遠側へのズーム、下の釦ＤＮの押下により広角側へのズームが行われる（以下、望遠をテレ、広角をワイドと表記する）。さらに、デジタルカメラ１Ａの背面であって十字スイッチ２０５の中央には、決定ボタン２００が設けられている。
【００３５】
＜機能構成＞
続いて、デジタルカメラ１Ａの機能構成を図４のブロック図を参照しながら説明する。
【００３６】
ズームレンズ１１２、フォーカスレンズ１１３および絞り１１４を備える撮影レンズ１１０によって取得された撮影用の光像は、ＣＣＤ１２０の受光面に結像させられる。
【００３７】
ＣＣＤ１２０は、撮影用の光像をＲ（赤），Ｇ（緑），Ｂ（青）の色成分を有する画像信号に光電変換して、信号処理部２１０へ出力する。当該画像信号は、ＣＣＤ１２０を構成する受光素子（画素）の受光量に応じた画素信号の信号列である。
【００３８】
信号処理部２１０は、ＣＣＤ１２０から入力される画像信号に所定のアナログ信号処理を行なう。信号処理部２１０は、相関二重サンプリング（ＣＤＳ；Correlated Double Sampling）回路および自動利得制御（ＡＧＣ；Automatic Gain Control）回路を備える。ＣＤＳ回路は、画像信号のサンプリングノイズの低減を行なう。ＡＧＣ回路は、画像信号の信号レベルの調整を行う。ＡＧＣ回路における利得制御は、絞り１１４の絞り径およびＣＣＤ１２０の露光時間の調整により適正露出を得ることができない場合における画像信号のレベルアップにも用いられる。
【００３９】
Ａ／Ｄ変換部２２０は、信号処理部２１０から入力されるアナログ画像信号を有するデジタル画像信号へ変換して、画像データとして画像処理部２３０へ出力する。これによって、Ｒ，Ｇ，Ｂ成分ごとに所定の階調数（ここでは２５６段階）を有するデジタルカラー画像データが生成される。
【００４０】
ＣＣＤ１２０、信号処理部２１０およびＡ／Ｄ変換部２２０の動作は、タイミング制御回路２４０から入力される基準クロックに同期して行われる。タイミング制御回路２４０は、全体制御部２５０から入力される制御信号に基づいて、基準クロックを生成する。
【００４１】
画像処理部２３０は、黒レベル補正回路２３１、ホワイトバランス（ＷＢ；White Balance）回路２３２、γ補正回路２３３および画像メモリ２３４を備える。
【００４２】
黒レベル補正回路２３１は、Ａ／Ｄ変換部２２０から入力された画像データの黒レベルを所定の黒レベルに補正する。
【００４３】
ＷＢ回路２３２は、画像データのＲ，Ｇ，Ｂの色成分のレベル変換を行う。レベル変換は、全体制御部２５０から入力されるレベル変換テーブルを用いて行われる。このレベル変換テーブルは、全体制御部２５０により撮影画像ごとに設定される。
【００４４】
γ補正回路２３３は、ＷＢ回路２３２から入力された画像データの階調変換を行う。階調変換は、所定のレベル変換テーブルに基づいて行われる。
【００４５】
画像メモリ２３４は、γ補正回路２３３から入力された画像データを一時的に格納する。画像メモリ２３４は、全画素数分の画像データを格納可能な記憶容量を有する。
【００４６】
デジタルカメラ１Ａは、ズームモータ制御部２６０、絞りモータ制御部２７０およびフォーカスモータ制御部２８０を備える。ズームモータ制御部２６０、絞りモータ制御部２７０およびフォーカスモータ制御部２８０は、それぞれ、全体制御部２５０から入力されるズーム制御信号、絞り制御信号およびフォーカス制御信号に基づいて、ズームモータＭ１、絞りモータＭ２およびフォーカスモータＭ３へ駆動電力を供給する。これにより、全体制御部２５０は、撮影レンズ１１０のズーム倍率、絞り径およびフォーカス状態を変化させることが可能である。
【００４７】
また、デジタルカメラ１Ａは、ズームレンズ１１２およびフォーカスレンズ１１３の位置を検出するためのエンコーダを含むレンズ位置検出部２９０を備える。レンズ位置検出部２９０は、検出したズームレンズ１１２およびフォーカスレンズ１１３の位置を全体制御部２５０へ出力する。
【００４８】
さらに、デジタルカメラ１Ａは、フラッシュ回路３１０およびポップアップフラッシュ１７０を備える。フラッシュ回路３１０は、全体制御部２５０から入力されるフラッシュ制御信号に応答して、ポップアップフラッシュ１７０にフラッシュ発光のための電力を供給する。
【００４９】
また、デジタルカメラ１Ａは、操作部３２０を備える。操作部３２０は、先述したシャッタボタン１５０、モード設定ダイアル１６０および決定ボタン２００を包含している。全体制御部２５０は、これらの操作部材の状態を検出し、デジタルカメラ１Ａの動作に反映させる。
【００５０】
デジタルカメラ１Ａは、ＥＶＦ１９０およびＬＣＤ１８０に表示される画像のバッファメモリとなるＥＶＦＶＲＡＭ３３０およびＬＣＤＶＲＡＭ３４０を備える。ＥＶＦＶＲＡＭ３３０およびＬＣＤＶＲＡＭ３４０は、それぞれ、ＥＶＦ１９０およびＬＣＤ１８０と画素数が同一の画像データを格納可能な記憶容量を有している。
【００５１】
また、デジタルカメラ１Ａは、カードインターフェース３５０、メモリカード３６０および通信用Ｉ／Ｆ３７０を備える。メモリカード３６０は、撮影済の画像データを記憶する不揮発性のメモリである。カードインターフェース３５０は、メモリカード３６０に対する画像データの書込みおよびメモリカード３６０からの画像データの読み出しを行なうためのインターフェースである。通信用Ｉ／Ｆ３７０は、デジタルカメラ１Ａに接続された外部機器との間で通信を行うためのインターフェースである。
【００５２】
撮影モードの撮影待機状態においては、ＣＣＤ１２０において所定時間間隔で生成された画像信号は、信号処理部２１０、Ａ／Ｄ変換部２２０、および画像処理部２３０の各処理回路２３１〜２３４で処理された後に画像データとして画像メモリ２３４に一時的に格納される。当該画像データは、全体制御部２５０によって読み出され、ＥＶＦ１９０およびＬＣＤ１８０と画素数が同一の画像データへ変換される。さらに、変換された画像データは、ＥＶＦＶＲＡＭ３３０およびＬＣＤＶＲＡＭ３４０へ転送され、ＥＶＦ１９０およびＬＣＤ１８０にライブビューとして表示される。これにより、撮影者は被写体像を視認可能である。また、再生モードにおいては、メモリカード３６０に記憶された画像データが、カードインターフェース３５０を介して全体制御部２５０によって読み出され、所定の画像処理が施される。画像処理が施された画像データは、ＥＶＦ１９０およびＬＣＤ１８０と画素数が同一の画像データへ変換され、ＥＶＦＶＲＡＭ３３０およびＬＣＤＶＲＡＭ３４０へ転送される。そして、この画像データは、ＥＶＦ１９０およびＬＣＤ１８０に再生表示される。
【００５３】
また、全体制御部２５０は、少なくともＣＰＵ２５１、ＲＡＭ２５２およびＲＯＭ２５３を備えるマイクロコンピュータであり、ＲＯＭ２５３に格納されているプログラムＰＧにしたがってデジタルカメラ１Ａの各構成の動作を統括的に制御する。また、図４の全体制御部２５０においては、ＣＰＵ２５１、ＲＡＭ２５２およびＲＯＭ２５３によって実現される機能が、夜景判定部２５４、ＡＦ制御部２５５、ＡＥ制御部２５６および撮影条件設定部２５７として模式的に表現されている。
【００５４】
夜景判定部２５４は、撮影シーンが夜景シーンであるか否かを画像データに基づいて判定する。ＡＦ制御部２５５は、ＡＦ評価値（合焦評価値）に基づいてオートフォーカス制御（自動合焦制御）を行い、ＡＥ制御部２５６は、ＡＥ評価値に基づいて自動露出制御を行う。また、撮影条件設定部２５７は、撮影シーンに応じて、撮影条件（絞り値、シャッタスピード、画像処理の内容等）を設定する。
【００５５】
また、デジタルカメラ１Ａは、さらに、ＡＦ評価値演算部２３６と高輝度画素検出部２３７とブロック輝度演算部２３８とを備えている。これらの各部による処理については次述する。
【００５６】
＜ＡＦ＞
つぎに、ＡＦ処理について説明する。
【００５７】
図５は、自動合焦制御（ＡＦ制御）用の画像ＭＧ１を示す図である。この画像ＭＧ１は、ＣＣＤ１２０の全画素のうちの一部で構成される画像である。例えば、ＣＣＤ１２０が２５６０×１９２０個の全画素数を有するものとするとき、画像ＭＧ１は、ＣＣＤ１２０から読み出された垂直方向中央に位置する帯状領域である中央帯状領域ＣＲ（２５６０×２４０個の画素数を有する）のうち、水平方向中央に位置する３２０×２４０個の画素で構成される。
【００５８】
ＡＦ評価値演算部２３６（図４）は、フレーミング領域（すなわち撮影画像全体）ＦＲのうちの画像ＭＧ１に対応する領域（言い換えれば、フレーミング領域ＦＲ内の中央部分に相当する領域）を合焦評価領域（以下、「ＡＦエリア」とも称する）ＡＲとして用い、そのＡＦエリアＡＲ内の各画素の画素値に基づいてＡＦ評価値を算出する。ここでは、ＡＦ評価値としてコントラスト値Ｃを用いるものとする。詳細には、ＡＦ評価値演算部２３６は、注目画素と、その注目画素の近隣に位置し且つ注目画素と一定の位置関係を有する画素（例えば水平方向に隣接する画素）との差分絶対値を求め、その差分演算結果を累積加算していく。この累積加算は、ＡＦエリアＡＲに含まれる全ての画素が注目画素として選択されるまで繰り返される。これによって、ＡＦエリアＡＲについてのコントラスト値Ｃが求められ、得られたコントラスト値Ｃは、全体制御部２５０に出力される。
【００５９】
全体制御部２５０のＡＦ（オートフォーカス）制御部２５５は、ＡＦエリアＡＲのコントラスト値Ｃに基づいて合焦の度合いを判定し、フォーカスレンズを合焦位置に移動させる。
【００６０】
＜ＡＥ＞
さらに、ＡＥ処理について説明する。
【００６１】
図６は、自動露出制御用（ＡＥ制御用）の画像ＭＧ２を示す図である。この画像ＭＧ２は、ＣＣＤ１２０の全画素のうちの一部を間引いて構成される間引き画像である。例えば、画像ＭＧ２は、２５６０×１９２０個の全画素数を有するＣＣＤ１２０において、水平方向および垂直方向にそれぞれ１／８間引きされることによって、３２０×２４０個の画素を有する画像データとして生成される。この画像ＭＧ２は、撮影対象全体（言い換えればフレーミング領域全体）を示す粗画像となっている。
【００６２】
ブロック輝度演算部２３８は、画像ＭＧ２内を用いて自動露出制御用のＡＥ評価値を算出する。ブロック輝度演算部２３８は、Ａ／Ｄ変換部２２０から出力される画像データ（画像ＭＧ２）を、例えば３００ブロック（＝（２０×１５）ブロック）に分割（区分）し、各ブロック（区分領域）ごとに測光データを算出する多分割測光を行う。例えば、ブロック輝度演算部２３８は、Ｇ色成分の画素値の平均値を被写体輝度として算出し、全体制御部２５０に出力する。あるいは、Ｒ色成分とＧ色成分とＢ色成分との全成分の合成値としてＹ成分を算出し、そのＹ成分の画素値の平均値を被写体輝度として算出するようにしてもよい。
【００６３】
また、全体制御部２５０のＡＥ制御部２５６は、入力される被写体輝度値に基づいて、露出制御値（絞り値、シャッタスピード、ゲイン）を算出し、各部を制御することで、ＡＥを実現する。
【００６４】
なお、このデジタルカメラ１Ａは、画像ＭＧ１，ＭＧ２をほぼ同時に取得することができる。また、フレーミング領域ＦＲ内における両画像ＭＧ１，ＭＧ２の位置関係を示すため、図６の画像ＭＧ２において図５のＡＦエリアＡＲ（画像ＭＧ１）に相当する領域を破線で示している。
【００６５】
＜夜景判定＞
つぎに、このデジタルカメラ１Ａにおける撮影シーンが夜景シーンであるか否かの判定（以下、単に「夜景判定」とも称する）について説明する。ここでは、上記の２つの画像ＭＧ１，ＭＧ２を用いて、夜景判定を行う場合を例示する。この夜景判定は、夜景判定部２５４によって行われる。
【００６６】
夜景シーンにおいては、夜景の点光源部分は画面中央部分に分布しており、画面の端側は暗いという一般的傾向が存在する。次述する処理は、このような性質に着目し、そして、このような性質を利用して、より正確に夜景であるか否かを判定するものである。
【００６７】
具体的には、夜景判定部２５４は、（１）画像ＭＧ１（すなわちＡＦエリアＡＲ）において「高輝度画素」が所定数（Ｎ個）以上存在するという条件ＣＡ、および（２）画像ＭＧ２における周縁部分ＭＲに存在する周縁ブロックのうち、「低輝度ブロック」が所定数（Ｍ個）以上存在するという条件ＣＢの両条件が満たされる場合に、夜景であると判定する。以下では、それぞれの条件について説明する。
【００６８】
まず、条件ＣＡについて説明する。画像ＭＧ１（すなわちＡＦエリアＡＲ）において高輝度画素が所定数（Ｎ個）以上存在する場合には、画面の中央部分に高輝度部が存在するものとして判定される。より詳細には、高輝度画素検出部２３７が、画素値（Ｙ成分あるいはＧ成分等）が閾値ＴＨ１（例えば２５０）以上の画素を「高輝度画素」と判定して検出する。そして、夜景判定部２５４は、検出された高輝度画素がＡＦエリアＡＲ内にＮ個以上存在する場合に、条件ＣＡを満たすものと判定する。なお、閾値ＴＨ１を最大値ＭＡＸ（例えば２５５）に設定する場合には、「高輝度画素」は「オーバーフロー画素（後述）」と同義になる。
【００６９】
次に、条件ＣＢについて説明する。夜景判定部２５４は、画像ＭＧ２における２０×１５個（合計３００個）のブロックＢＬ（ｉ，ｊ）のうち、画面の周縁部分ＭＲに存在する９２個のブロック（図６の斜線部分）を判定対象として選択する。より詳細には、夜景判定部２５４は、上端側周縁ブロック群ＢＧ１と左端側周縁ブロック群ＢＧ２と右端側周縁ブロック群ＢＧ３との３つのブロック群で構成される周縁部分ＭＲを、判定対象として選択する。なお、上端側周縁ブロック群ＢＧ１は、上端側周縁部分に存在し、最上段のブロックＢＬ（１，１）〜ＢＬ（２０，１）の２０ブロックと、その下側のブロックＢＬ（１，２）〜ＢＬ（２０，２）の２０ブロックとを合わせた合計４０ブロックで構成されるブロック群である。また、左端側周縁ブロック群ＢＧ２は、左端側周縁部分に存在し、最左列のブロックＢＬ（１，３）〜ＢＬ（１，１５）の１３ブロックと、その右側のブロックＢＬ（２，３）〜ＢＬ（２，１５）の１３ブロックとを合わせた合計２６ブロックで構成されるブロック群である。同様に、右端側周縁ブロック群ＢＧ３は、右端側周縁部分に存在し、最右列のブロックＢＬ（２０，３）〜ＢＬ（２０，１５）の１３ブロックと、その左側のブロックＢＬ（１９，３）〜ＢＬ（１９，１５）の１３ブロックとを合わせた合計２６ブロックで構成されるブロック群である。
【００７０】
夜景判定部２５４は、判定対象の上記９２ブロックのうち、その平均輝度が所定の閾値ＴＨ２（例えば２０）以下であるブロックを「低輝度ブロック（低輝度区分領域とも称する）」として判定し、低輝度ブロックの数を算出する。そして、低輝度ブロックがＭ個以上存在する場合には、画像の周縁部分に低輝度部が存在するものとみなす。なお、各ブロックの平均輝度は、ブロック輝度演算部２３８によって算出された値を用いればよい。
【００７１】
夜景判定部２５４は、上記のような条件ＣＡ，ＣＢの両方が満たされる場合に、撮影シーンが夜景シーンであると判定する。
【００７２】
そして、夜景シーンであると判定される場合には、夜景シーンに適したＡＦ手法を採用するとともに、撮影条件を夜景シーンに適した条件（夜景シーン撮影用の条件）に設定する。このような動作については後に詳述する。
【００７３】
以上のような夜景判定によれば、より正確に夜景シーンであるか否かを判定することが可能である。
【００７４】
特に、フレーミング領域ＦＲの周縁部分、より詳細には、上記の９２ブロックに低輝度部が存在するか否かを判定しているので、夜景判定の精度を向上させることができる。また、この９２ブロックには、夜景撮影時の「夜空」の部分に対応する上端側周縁部分が含まれている。そして、このような上端側周縁部分を含む周縁部分において、低輝度部の存在の有無を判定しているので、さらに正確に夜景判定を行うことができる。
【００７５】
また、ＡＦエリアＡＲ内において本撮影画像と同様の画素数（解像度）を有するＡＦ用画像データ（言い換えれば、間引き画像データではないＡＦ用画像データ）に基づいて高輝度画素の存在数を判定しているので、より正確に高輝度画素の存在数を認識することができる。
【００７６】
さらに、本撮影画像に対する間引き画像であるＡＥ用画像データに基づいて、低輝度ブロックであるか否かを判定しているので、平均輝度算出にあたって演算対象となる画素の数を低減して効率的に夜景判定を行うことが可能になる。
【００７７】
＜動作＞
図７〜図９のフローチャートを参照しながら、デジタルカメラ１Ａの撮影動作について説明する。
【００７８】
まず、ステップＳＰ１０（図７）においては、シャッタボタン１５０が半押し状態Ｓ１であるか否かが判定される。半押し状態Ｓ１であることが確認されると、ＡＦ動作等を行うためステップＳＰ２０以降に進む。
【００７９】
ステップＳＰ２０〜ＳＰ５０においては撮影シーンが夜景シーンであるか否かを判定し、撮影シーンが夜景シーンでないと判定された場合には手法ＭＡでＡＦ動作を行い（ステップＳＰ６０）、撮影シーンが夜景シーンであると判定された場合には別の手法ＭＢでＡＦ動作を行う（ステップＳＰ７０）。なお、手法ＭＡ，ＭＢは、いずれも画像データを用いたＡＦ（いわゆる山登り法）である点で共通するが、初期微小駆動の有無、レンズ位置の移動法等において相違する。
【００８０】
その後、シャッタボタン１５０が全押し状態Ｓ２にされるまでＡＦ動作が継続され、シャッタボタン１５０が全押し状態Ｓ２にされると、本撮影のための撮影条件が設定され（ステップＳＰ９０）、本撮影動作が行われる（ステップＳＰ１００）。
【００８１】
具体的には、ステップＳＰ２０において、夜景判定部２５４は、高輝度画素検出部２３７によって検出された「高輝度画素」の数を取得し、その高輝度画素の数に基づいて、画面中央部に高輝度部が存在するか否かを判定する。夜景判定部２５４は、高輝度画素検出部２３７によって検出された高輝度画素がＡＦエリアＡＲ内にＮ個以上存在する場合には、画面中央部に高輝度部が存在するものと判定し、夜景シーンであると判定するための条件（「夜景判定条件」とも称する）の１つの要件を満たしているものと判定する。ステップＳＰ３０の分岐処理では、夜景判定条件の１つの要件を満たしていると判定される場合にはステップＳＰ４０に進み、当該要件を満たしていないと判定される場合にはステップＳＰ６０に進む。
【００８２】
ステップＳＰ４０では、夜景判定部２５４は、ブロック輝度演算部２３８によって算出されたブロック輝度に基づいて、上述の判定対象の９２ブロックのうちの低輝度ブロックの数に基づいて、画面周縁部に低輝度部が存在するか否かを判定する。具体的には、低輝度ブロックの数がＭ個以上の場合には、画面周縁部に低輝度部が存在すると判定し、夜景判定条件のもう１つの要件をも満たしていると判定する。ステップＳＰ５０の分岐処理では、夜景判定条件に関する２つ目の要件をも満たしていると判定される場合にはステップＳＰ７０に進み、当該要件を満たしていないと判定される場合にはステップＳＰ６０に進む。
【００８３】
次に、図８のフローチャートを参照しながら、手法ＭＡによるＡＦ動作（ステップＳＰ６０）について説明する。
【００８４】
ステップＳＰ６１において、レンズ微小駆動ルーチンが実行され、フォーカスレンズ１１３のレンズ駆動方向が決定される。具体的には、図１０にも示すように、ＡＦ制御部２５５は、フォーカスレンズ１１３の位置をレンズ初期位置から近側に所定量だけ移動させる。そして、レンズ移動前のＡＦ評価値とレンズ移動後のＡＦ評価値とを比較して、ＡＦ評価値がより適切な値になる方向（例えばコントラスト値Ｃがより大きくなる方向）にフォーカスレンズ１１３の合焦位置が存在するものと推定し、ＡＦ評価値がより適切な値になる方向をレンズ駆動方向として決定する。
【００８５】
次のステップＳＰ６２においては、ステップＳＰ６１で決定されたレンズ駆動方向に向けて、フォーカスレンズ１１３を所定量ΔＸずつ移動させつつ、各レンズ位置でのＡＦ評価値を取得する。このフォーカスレンズ１１３の移動動作等は、ＡＦ評価値の変化曲線が極大となるまで繰り返される（図１０参照）。
【００８６】
そして、極大値付近の数点、たとえば、（Ｘ（ｎ−１），Ｙ（ｎ−１））、（Ｘ（ｎ），Ｙ（ｎ））、（Ｘ（ｎ＋１），Ｙ（ｎ＋１））の３点のデータを用いて、二次補間近似計算によりＡＦ評価値がピークとなるレンズ位置（合焦位置）を求める（ステップＳＰ６３）。その後、ステップＳＰ６４において、ステップＳＰ６３で求められた合焦位置にフォーカスレンズ１１３を移動させる。
【００８７】
以上のようにして手法ＭＡによるＡＦ動作が行われる。
【００８８】
次に、図９のフローチャートを参照しながら、手法ＭＢによるＡＦ動作（ステップＳＰ７０）について説明する。この手法ＭＢにおいては、撮影シーンが夜景シーンであることを前提にして、ＡＦ動作が行われる。手法ＭＢは、フォーカスレンズ１１３を一旦無限遠端に移動させた後に、フォーカスレンズ１１３を近側に向けて移動させつつ各レンズ位置におけるＡＦ評価値を取得し、当該ＡＦ評価値が最適化されるレンズ位置を合焦位置として検出する手法である。
【００８９】
具体的には、まず、ステップＳＰ７１においてフォーカスレンズ１１３のレンズ位置を無限遠端にまで移動する（図１１も参照）。
【００９０】
次のステップＳＰ７２においては、フォーカスレンズ１１３を近側に向けて所定量ΔＸずつ移動させつつ、各レンズ位置でのＡＦ評価値を取得する。このフォーカスレンズ１１３の移動動作等は、ＡＦ評価値の変化曲線が極大となるまで繰り返される。
【００９１】
そして、極大値付近の数点（たとえば３点）のデータを用いて、二次補間近似計算によりＡＦ評価値がピークとなるレンズ位置（合焦位置）が求められ（ステップＳＰ７３）、その合焦位置にフォーカスレンズ１１３が移動される（ステップＳＰ７４）。ステップＳＰ７３，ＳＰ７４の処理は、ステップＳＰ６３，６４と同様の処理である。
【００９２】
以上のようにして手法ＭＢによるＡＦ動作が行われる。
【００９３】
夜景シーンの撮影においては、被写体は比較的遠方に存在することが多いという性質が存在する。上記の処理では、この性質を利用して、無限遠端から近側に向けてフォーカスレンズ１１３を移動させている。これによれば、手法ＭＡのステップＳＰ６１に示すようなレンズ駆動方向の決定動作が不要になるため、より高速なＡＦ動作を行うことができる。また、次述するような擬合焦をも回避できるため、より正確なＡＦ動作を行うことも可能になる。
【００９４】
図１１には、擬似ピークが存在する状況が例示されている。例えば、ぼけた状態の比較的大きな点光源が、手振れ等によってＡＦエリアＡＲ（図５）に対して出入りすることなどに起因して、図１１に示すように本来の合焦位置よりも近側に擬似ピークが表れることがある。仮に、夜景撮影時に手法ＭＡを用いると、レンズ初期位置によっては、この擬似ピークの影響を受けてしまい、被写体に関する本来の合焦位置に到達できないことがある。
【００９５】
これに対して、手法ＭＢを用いる場合には、フォーカスレンズ１１３を最初に無限遠端にまで移動させてしまうため、上記のような擬似ピークの検出を回避して、本来の合焦位置にフォーカスレンズ１１３を移動させることが可能である。
【００９６】
以上のように、撮影シーンが夜景シーンであると判定される場合には、手法ＭＢを用いたＡＦ動作が行われるため、より高速且つより正確なＡＦ動作を行うことが可能である。
【００９７】
なお、ここではＡＦ評価値としてコントラスト値Ｃを採用しており、その値が大きくなるにつれて合焦度合いが大きくなる場合を例示しているが、これに限定されず、逆に、その値が小さくなるにつれて合焦度合いが大きくなるようなＡＦ評価値を用いても良い。後者の場合には、例えばステップＳＰ６２，ＳＰ７２において、ＡＦ評価値が極小となるまでフォーカスレンズ１１３の移動動作等を繰り返せばよい。
【００９８】
さて、以上のＡＦ動作が行われた後、シャッタボタン１５０が全押し状態Ｓ２にされたことがステップＳＰ８０において判定されると、本撮影のための撮影条件が設定される（ステップＳＰ９０）。
【００９９】
具体的には、撮影シーンが夜景シーンであるか否かに応じて、撮影条件の設定を変更する。
【０１００】
ステップＳＰ２０〜ＳＰ５０において撮影シーンが夜景シーンであると判定されている場合には、撮影条件を夜景シーン撮影用のものに設定する。詳細には、絞りを開放にして、シャッタスピードを通常撮影よりも短くして、露出制御パラメータを夜景シーン撮影用の値に設定する。また、夜景シーン撮影時には、ノイズが発生しやすいという性質がある。そこで、ノイズリダクションをオンにして、ノイズを除去するような画像処理を行うべき旨を設定する。これにより、ノイズを抑制した撮影画像を得ることが可能になる。以上のような設定動作によれば、撮影シーンが夜景シーンである場合に、より適切な撮影条件による撮影画像を得ることが可能になる。
【０１０１】
一方、撮影シーンが夜景シーンでないと判定されている場合には、撮影条件を通常撮影用のものに設定する。具体的には、標準的なプログラム線図にしたがって露出制御パラメータを設定するとともに、ノイズリダクションをオフにする。
【０１０２】
その後、本撮影動作が行われ、所望の被写体に関する撮影画像（本撮影画像）が取得される（ステップＳＰ１００）。
【０１０３】
＜ＡＦ評価値＞
ところで、上記実施形態においては、隣接画素の差分値をＡＦエリアＡＲ内の全画素を対象として積算したコントラスト値Ｃを、ＡＦ評価値として用いる場合について説明したが、これに限定されず、夜景シーン撮影時のＡＦ評価値として、例えば後述する評価値Ｖ１，Ｖ２等を用いても良い。値Ｖ１又は値Ｖ２をＡＦ評価値として用いれば、夜景撮影時におけるＡＦ動作の高精度化を図ることができる。
【０１０４】
図１２は、夜景の点光源を撮影した場合における当該点光源付近の被写体輝度の位置変化を示す図である。図１２において、横軸は画面内での所定方向（例えば水平方向）における位置を表し、縦軸は被写体輝度（あるいは画素値）を表している。図１２の３つの曲線ＣＬ１，ＣＬ２，ＣＬ３は、それぞれ、異なる合焦度合いにおける被写体輝度を示す図である。３つの曲線ＣＬ１，ＣＬ２，ＣＬ３のうち、曲線ＣＬ１は、合焦度合いが比較的低い状態での被写体輝度の位置変化を示す曲線であり、曲線ＣＬ２は合焦度合いが比較的高い状態での被写体輝度の位置変化を示す曲線であり、曲線ＣＬ３は合焦度合いがさらに高い状態での被写体輝度の位置変化を示す曲線である。図１２に示すように、合焦度合いが高くなるほど、エッジ付近における曲線が急峻に立ち上がる（あるいは立ち下がる）。なお、Ａ／Ｄ変換後の画素値は最大値ＭＡＸ（たとえば２５５）までの値しか取り得ず、点光源の中心位置ＣＸ近傍においては画素値がオーバーフローし、Ａ／Ｄ変換時において最大値ＭＡＸでクリップされることになる。以下では、被写体輝度がオーバーフローしている画素を「オーバーフロー画素」とも称し、オーバーフローしていない画素を「非オーバーフロー画素」とも称する。図１２においては、オーバーフロー画素が黒丸で示され、非オーバーフロー画素が白丸で示されている。
【０１０５】
ここでは、このエッジ部分での画素値の傾き度合いを算出して、ＡＦ評価値として用いる場合を例示する。具体的には、高輝度画素と非高輝度画素とが隣接している場合（ここではオーバーフロー画素と非オーバーフロー画素とが隣接している場合）に、両画素の画素値の差分値（より正確には差分値の絶対値）を算出する。
【０１０６】
たとえば、曲線ＣＬ１，ＣＬ２，ＣＬ３については、それぞれ、立ち上がり部分において、差分値ＤＶ１，ＤＶ２，ＤＶ３がそれぞれ取得される。これらの差分値ＤＶ１，ＤＶ２，ＤＶ３の間には、ＤＶ１＜ＤＶ２＜ＤＶ３、の関係が存在し、合焦度合いが大きくなるにつれて差分値が大きくなる。このように、差分値は、エッジ部分での画素値の傾き度合いを反映した値となっている。ここでは、その差分値に基づく値をＡＦ評価値として用いる。
【０１０７】
より具体的には、注目画素とその隣接画素とのうち一方がオーバーフロー画素であり他方が非オーバーフロー画素である場合に、その両画素の画素値の差分値を求める。そして、注目画素を順次ＡＦエリアＡＲ内の別の画素に変更しつつ当該差分値を積算していき、ＡＦエリアＡＲ内の全ての画素が注目画素にされるまで同様の動作を繰り返して、当該差分値の積算値を得る。また、後述するように、その積算値を積算回数（カウント数）で除することによって正規化する。これによって、安定した評価値を得ることができる。
【０１０８】
以下では、図１３を参照しながら、Ｇ画素（グリーン成分画素）の画素値を用いてＡＦ評価値を算出する場合について、より詳細に説明する。なお、これに限定されず、他の成分の画素（例えばＲ画素あるいはＢ画素）の画素値を用いてもよく、あるいは、Ｒ，Ｇ，Ｂ成分の合成値として生成されるＹ成分画素値（輝度成分画素値）を用いても良い。
【０１０９】
図１３は、ＣＣＤ１２０の画素配列の一部を抜き出して示す図である。ここでは、各注目画素について３つの方向に隣接する隣接画素との関係を考慮する。
【０１１０】
詳細には、まず、水平方向について考慮する。注目画素Ｇ（ｉ，ｊ）とその左側に隣接する隣接画素Ｇ（ｉ−１，ｊ）とのうちの一方のみがオーバーフロー画素である場合に、両画素の画素値ＰＶ（ｉ，ｊ）と画素値ＰＶ（ｉ−１，ｊ）との差分値（詳細には差分絶対値、すなわち｜ＰＶ（ｉ，ｊ）−ＰＶ（ｉ−１，ｊ）｜）を算出して、値ＤＨとして積算していく。この動作は、ＡＦエリアＡＲ内の全ての画素が注目画素にされるまで繰り返される。この際、積算した回数、言い換えれば、注目画素と隣接画素とのうちの一方のみがオーバーフロー画素であると判定された回数も値ＮＨとしてカウントしておく。
【０１１１】
また同様に、注目画素Ｇ（ｉ，ｊ）とその左上側に隣接する隣接画素Ｇ（ｉ，ｊ−１）とのうちの一方のみがオーバーフロー画素である場合に、両画素の画素値ＰＶ（ｉ，ｊ）と画素値ＰＶ（ｉ，ｊ−１）との差分値（詳細には差分絶対値、すなわち｜ＰＶ（ｉ，ｊ）−ＰＶ（ｉ，ｊ−１）｜）を算出して、値ＤＵとして積算していく。この動作は、ＡＦエリアＡＲ内の全ての画素が注目画素にされるまで繰り返される。この際、積算した回数、言い換えれば、注目画素と隣接画素とのうちの一方のみがオーバーフロー画素であると判定された回数も値ＮＵとしてカウントしておく。
【０１１２】
さらに同様に、注目画素Ｇ（ｉ，ｊ）とその左下側に隣接する隣接画素Ｇ（ｉ，ｊ＋１）とのうちの一方のみがオーバーフロー画素である場合に、両画素の画素値ＰＶ（ｉ，ｊ）と画素値ＰＶ（ｉ，ｊ＋１）との差分値（詳細には差分絶対値、すなわち｜ＰＶ（ｉ，ｊ）−ＰＶ（ｉ，ｊ＋１）｜）を算出して、値ＤＬとして積算していく。この動作は、ＡＦエリアＡＲ内の全ての画素が注目画素にされるまで繰り返される。この際、積算した回数、言い換えれば、注目画素と隣接画素とのうちの一方のみがオーバーフロー画素であると判定された回数も値ＮＬとしてカウントしておく。
【０１１３】
そして、３つの方向のそれぞれにおける各積算値ＤＨ，ＤＵ、ＤＬをさらに加算した値ＶＳ（＝ＤＨ＋ＤＵ＋ＤＬ）を求めるとともに、カウント数ＮＨ，ＮＵ，ＮＬの加算値ＮＡ（＝ＮＨ＋ＮＵ＋ＮＬ）を求める。
【０１１４】
その後、この総和値ＶＳを総カウント数ＮＡで除した値Ｖ１（＝ＶＳ／ＮＡ）を求める。差分値の積算値である総和値ＶＳを総カウント数ＮＡで除して正規化した値Ｖ１を、ＡＦ評価値として用いれば、より正確なＡＦ動作を行うことが可能になる。総和値ＶＳをそのままＡＦ評価値として用いる場合に比べて、ＡＦエリアＡＲに対して出入りする点光源数の変動による影響を受けにくくなるためである。
【０１１５】
また、この値Ｖ１をさらに、ＡＦエリアＡＲ内のオーバーフロー画素の数ＮＦで除した値Ｖ２（＝Ｖ１／ＮＦ）を求め、この値Ｖ２をＡＦ評価値とすることがさらに好ましい。図１４に示すように、合焦状態での点光源の光像Ｃ１の面積は、非合焦状態での点光源の光像Ｃ２の面積よりも小さいという性質がある。言い換えれば、ＡＦエリアＡＲ内のオーバーフロー画素の画素数ＮＦが少ないほど、合焦状態に近いという性質が存在する。そのため、値Ｖ１をオーバーフロー画素数ＮＦで除した値Ｖ２は、合焦状態に近づく際の増加度合いが値Ｖ１よりも大きくなる。したがって、この値Ｖ２をＡＦ評価値として用いることによれば、ＡＦ評価値のピーク位置をより正確に決定して、さらに正確なＡＦ動作を行うことができる。
【０１１６】
なお、ここでは、オーバーフロー画素と非オーバーフロー画素との隣接箇所についての差分値を求める場合について例示したが、これに限定されない。たとえば、高輝度画素判定における閾値ＴＨ１を最大値ＭＡＸ（ここでは２５５）よりも小さな値（例えば２５０）に設定した上で高輝度画素判定を行い、高輝度画素と非高輝度画素との隣接箇所についての差分値等を求めるようにしてもよい。
【０１１７】
＜その他＞
上記実施形態においては、夜景判定部２５４は、ＡＦエリアＡＲにおいて高輝度画素が所定数（Ｎ個）以上存在するか否かに応じて、画面中央に高輝度部が存在するか否かを判定していたが、これに限定されない。
【０１１８】
例えば、ＡＦエリアＡＲに高輝度画素が所定割合（例えば５％）以上存在するときに、画面中央に高輝度部が存在するものとして判定してもよい。
【０１１９】
あるいは、高輝度画素数ではなく、ＡＦエリアＡＲの平均輝度が所定の閾値よりも高い場合に、画面中央に高輝度部が存在するものと判定するようにしてもよい。
【０１２０】
ただし、高輝度画素の存在数あるいは占有割合を用いて判断することによれば、平均輝度を用いて判断する場合と比べて、より正確に点光源の有無を判定すること、ひいては、撮影シーンが夜景シーンであるか否かをより正確に判定することが可能である。
【０１２１】
さらに、上記実施形態においては、画像ＭＧ２内の周縁ブロックのうち、低輝度ブロックが所定数（Ｍ個）以上存在するときに、画面の周縁部分に低輝度部が存在するものと判定していたが、これに限定されない。
【０１２２】
例えば、画像ＭＧ２内の周縁ブロックのうち、低輝度ブロックが所定割合（例えば５０％）以上存在するときに、画面の周縁部分に低輝度部が存在するものと判定してもよい。
【０１２３】
あるいは、各区分領域（ブロック）ごとに低輝度ブロック（低輝度区分領域）であるか否かを判定するのではなく、図６の斜線を付した複数の周縁ブロック全体の平均輝度が所定の閾値以下であるか否かによって、画面の周縁部分に低輝度部が存在するものと判定してもよい。ただし、各区分領域ごとに低輝度区分領域であるか否かを判定した方が、図６の斜線を付した複数の周縁ブロック全体の平均輝度を用いる場合に比べて、より正確に低輝度部の存在の有無を判定することが可能である。
【０１２４】
また、上記実施形態においては、図６の周縁部分（斜線部分）ＭＲに低輝度部が存在するか否かを判定する場合を例示したが、これに限定されない。例えば、このような判定に代えて、図１５に示すように、フレーミング領域ＦＲの上端側周縁部分ＭＵ（斜線部分）に存在するブロック群ＢＧ１を用いて、当該上端側周縁部分ＭＵに低輝度部が存在するか否かを判定するようにしてもよい。この場合でも、夜景撮影時の「夜空」の部分に対応する上端側周縁部分ＭＵにおいて低輝度部の存在の有無を判定することによって、正確に夜景判定を行うことができる。
【０１２５】
さらに、上記実施形態においては、図７に示すように、シャッタボタン１５０が全押し状態Ｓ２になったと判定（ステップＳＰ８０）された後に撮影条件を設定する（ステップＳＰ９０）場合を例示したが、これに限定されない。例えば、シャッタボタン１５０が全押し状態Ｓ２になる前から撮影条件を変更するようにしてもよい。具体的には、ステップＳＰ９０の設定動作を、ステップＳＰ２０〜ＳＰ５０での夜景判定動作とステップＳＰ８０の判定動作との間（例えば、ステップＳＰ８０の直前）に行うようにしてもよい。
【図面の簡単な説明】
【０１２６】
【図１】デジタルカメラ１Ａの正面図である。
【図２】図１のＤ−Ｄの位置におけるデジタルカメラ１Ａの断面図である。
【図３】デジタルカメラ１Ａの背面図である。
【図４】デジタルカメラ１Ａの機能ブロック図である。
【図５】ＡＦ制御用の画像ＭＧ１を示す図である。
【図６】ＡＥ制御用の画像ＭＧ２を示す図である。
【図７】デジタルカメラ１Ａの動作を示すフローチャートである。
【図８】手法ＭＡによるＡＦ動作を示すフローチャートである。
【図９】手法ＭＢによるＡＦ動作を示すフローチャートである。
【図１０】手法ＭＡによるＡＦ動作を示す概念図である。
【図１１】手法ＭＢによるＡＦ動作を示す概念図である。
【図１２】夜景の点光源付近の被写体輝度の位置変化を示す図である。
【図１３】ＣＣＤの画素配列（一部）を示す図である。
【図１４】合焦時および非合焦時における点光源の大きさを示す図である。
【図１５】低輝度部の判定に用いられるブロック（区分領域）を示す図である。
【符号の説明】
【０１２７】
１Ａ  デジタルカメラ
１１２  ズームレンズ
１１３  フォーカスレンズ
１２０  ＣＣＤ
１５０  シャッタボタン
ＡＲ  ＡＦエリア
ＭＧ１  ＡＦ用画像
ＭＧ２  ＡＥ用画像
【図１】
2006023339.tif 000003
【図２】
2006023339.tif 000004
【図３】
2006023339.tif 000005
【図４】
2006023339.tif 000006
【図５】
2006023339.tif 000007
【図６】
2006023339.tif 000008
【図７】
2006023339.tif 000009
【図８】
2006023339.tif 000010
【図９】
2006023339.tif 000011
【図１０】
2006023339.tif 000012
【図１１】
2006023339.tif 000013
【図１２】
2006023339.tif 000014
【図１３】
2006023339.tif 000015
【図１４】
2006023339.tif 000016
【図１５】
2006023339.tif 000017